(57)【要約】【課題】排水が流出する流出部を有するトラップ本体と、流出部から流出する排水を排水管に導く接続継手とを備え、設置上の自由度を向上した排水トラップの提供。【解決手段】トラップ本体２０内に排水を流入させる流入部２１と、トラップ本体２０の側部に設けられ流入部２１から流入した排水が流出する流出部２２と、流出部２１と排水管とを接続し、流出部２２から流出する排水を排水管に導く接続継手２４とを備え、接続継手２４は、トラップ本体２０の延在方向Ａに垂直なＣ方向の周りＤに回転可能にトラップ本体２０に取り付けられ流出部２２に接続された管４１と、管４１のトラップ本体２０と反対側の端部に、この端部部分４４の延在方向Ｅの周りＧに回転可能に取り付けられた管４２とを有し、管４２は、排水管を締結して接続するための締結手段６０をその両端にそれぞれ有している。【選択図】図２
2008057251.tif 000002
【特許請求の範囲】
【請求項１】
有底筒状に形成されたトラップ本体と、
前記トラップ本体内に排水を流入させる流入部と、
前記トラップ本体の側部に設けられ前記流入部から流入した排水が流出する流出部と、
前記流出部と排水管とを接続し、前記流出部から流出する排水を排水管に導く接続継手とを備えた排水トラップにおいて、
前記接続継手は、前記トラップ本体の延在方向に垂直な方向の周りに回転可能に前記トラップ本体に取り付けられ前記流出部に接続されたＬ字状の第１の管と、第１の管の前記トラップ本体と反対側の端部に、この端部部分の延在方向の周りに回転可能に取り付けられた第２の管とを有し、
第２の管は、排水管を締結して接続するための締結手段をその両端にそれぞれ有していることを特徴とする排水トラップ。
【請求項２】
前記流入部は、前記トラップ本体の延在方向の周りに回転可能であることを特徴とする請求項１記載の排水トラップ。
【請求項３】
第１の管を、前記トラップ本体に対し、前記トラップ本体の延在方向に垂直な方向の周りにおいて所定の角度をなす状態で接続するための規制機構を有することを特徴とする請求項１又は請求項２記載の排水トラップ。
【請求項４】
その装着により第２の管が第１の管に対して回転することを阻止する回転阻止部材を着脱可能に有することを特徴とする請求項１ないし３の何れか１つに記載の排水トラップ。
【請求項５】
前記トラップ本体は、排水が前記流入部に逆流することを防止するために前記トラップ本体の内外の空間を連通させた連通口を有し、
前記連通口の、前記トラップ本体の底壁側の端部位置と、前記トラップ本体の底壁との間隔は、前記トラップ本体の延在方向の周りにおける、前記第１の管が取り付けられた方向において最小であることを特徴とする請求項１ないし４の何れか１つに記載の排水トラップ。
【発明の詳細な説明】
【技術分野】
【０００１】
本発明は、排水が流出する流出部を有するトラップ本体と、流出部から流出する排水を排水管に導く接続継手とを備えた排水トラップに関する。
【背景技術】
【０００２】
従来から、〔特許文献１〕に記載されているように、排水が流出する流出部を有するトラップ本体と、流出部から流出する排水を排水管に導く接続継手とを備え、排水を排水管に導きつつ、排水を封水に用いることにより、排水管から異臭が漏れたり、排水管から害虫が侵入したりすることを防止する排水トラップが知られている。
【特許文献１】特開２００２−３２７４７５号公報
【発明の開示】
【発明が解決しようとする課題】
【０００３】
しかしながら、従来の排水トラップにおける接続継手は、〔特許文献１〕に記載されているように、排水トラップ本体に対して回転可能に取付けられた直線状の管からなるものである。
【０００４】
よって、従来の排水トラップは、接続継手を接続すべき排水管の配管方向によっては、接続継手を接続することができないなど、その設置上の自由度が十分でない場合があるという問題があった。
【０００５】
そこで、本発明は、排水が流出する流出部を有するトラップ本体と、流出部から流出する排水を排水管に導く接続継手とを備え、設置上の自由度を向上した排水トラップを提供することを目的とするものである。
【課題を解決するための手段】
【０００６】
上記目的を達成するため、請求項１記載の発明は、有底筒状に形成されたトラップ本体と、前記トラップ本体内に排水を流入させる流入部と、前記トラップ本体の側部に設けられ前記流入部から流入した排水が流出する流出部と、前記流出部と排水管とを接続し、前記流出部から流出する排水を排水管に導く接続継手とを備えた排水トラップにおいて、前記接続継手は、前記トラップ本体の延在方向に垂直な方向の周りに回転可能に前記トラップ本体に取り付けられ前記流出部に接続されたＬ字状の第１の管と、第１の管の前記トラップ本体と反対側の端部に、この端部部分の延在方向の周りに回転可能に取り付けられた第２の管とを有し、第２の管は、排水管を締結して接続するための締結手段をその両端にそれぞれ有していることを特徴とする。
【０００７】
この構成によれば、排水が流出する流出部を有するトラップ本体と、流出部から流出する排水を排水管に導く接続継手とを備え、接続継手の姿勢の自由度を向上することによって設置上の自由度を向上した排水トラップとなっている。
【０００８】
請求項２記載の発明は、前記流入部は、前記トラップ本体の延在方向の周りに回転可能であることを特徴とする。
【０００９】
この構成によれば、排水が流出する流出部を有するトラップ本体と、流出部から流出する排水を排水管に導く接続継手とを備え、接続継手の姿勢の自由度を向上することおよび流入部の姿勢の自由度を向上することによって設置上の自由度をより向上した排水トラップとなっている。
【００１０】
請求項３記載の発明は、第１の管を、前記トラップ本体に対し、前記トラップ本体の延在方向に垂直な方向の周りにおいて所定の角度をなす状態で接続するための規制機構を有することを特徴とする。
【００１１】
この構成によれば、排水が流出する流出部を有するトラップ本体と、流出部から流出する排水を排水管に導く接続継手とを備え、接続継手の姿勢の自由度を向上することによって設置上の自由度を向上するとともに、トラップ本体に対して第１の管を当該方向の回りにおいて所定の角度をなした姿勢で維持し、これにより例えばいわゆる壁排水、床排水に適した姿勢に維持し、また排水の漏れを防止する排水トラップとなっている。
【００１２】
請求項４記載の発明は、その装着により第２の管が第１の管に対して回転することを阻止する回転阻止部材を着脱可能に有することを特徴とする。
【００１３】
この構成によれば、排水が流出する流出部を有するトラップ本体と、流出部から流出する排水を排水管に導く接続継手とを備え、接続継手の姿勢の自由度を向上することによって設置上の自由度を向上するとともに、第１の管に対して第２の管が回転することを禁止して、これにより例えば排水の漏れを防止する排水トラップとなっている。
【００１４】
請求項５記載の発明は、前記トラップ本体は、排水が前記流入部に逆流することを防止するために前記トラップ本体の内外の空間を連通させた連通口を有し、前記連通口の、前記トラップ本体の底壁側の端部位置と、前記トラップ本体の底壁との間隔は、前記トラップ本体の延在方向の周りにおける、前記第１の管が取り付けられた方向において最小であることを特徴とする。
【００１５】
この構成によれば、排水が流出する流出部を有するトラップ本体と、流出部から流出する排水を排水管に導く接続継手とを備え、接続継手の姿勢の自由度を向上することによって設置上の自由度を向上するとともに、排水が流入部に逆流することを防止し、且つトラップ本体が傾いても封水性能及び排水の排出性能を維持する排水トラップとなっている。
【発明の効果】
【００１６】
本発明によれば、排水が流出する流出部を有するトラップ本体と、流出部から流出する排水を排水管に導く接続継手とを備え、接続継手の姿勢の自由度を向上することによって設置上の自由度を向上した排水トラップを提供することができる。
【発明を実施するための最良の形態】
【００１７】
以下に、本発明の実施例について図面を参照しながら説明する。
【００１８】
図１に本発明を適用した排水トラップの使用態様を示す。図１（ａ）はいわゆる壁排水の排水管に使用した場合を示している。図１（ｂ）はいわゆる床排水の排水管に使用した場合を示している。
【００１９】
図１に示すように、排水トラップ１００は、洗面器１０の下方の壁面Ｗに設置された貯湯式の電気温水器１１と、洗面器１０の下部に接続されたメイン排水管１２との間に接続されるものである。なお、図１（ａ）においては、排水トラップ１００の一部はメイン排水管１２と壁面Ｗとの間に位置し、メイン排水管１２に隠れた状態となっている。
【００２０】
電気温水器１１は、洗面器１０に設置された水栓１３に水またはお湯を供給する、先止め式の温水器である。
【００２１】
電気温水器１１は、先止め式であることで生じる排水を排出するサブ排水管１４（図１（ａ）において不図示）と、壁面Ｗに突設された止水栓１５に接続された給水管１６と、壁面Ｗに配置されたコネクタ１７に接続された電源コード１８と、水栓１３に接続された図示しない出水管及び出湯管とを有している。
【００２２】
メイン排水管１２は、一端を洗面器１０の下部に接続されているとともに、他端については、図１（ａ）に示す壁排水においては壁面Ｗに、図１（ｂ）に示す床排水においては床面Ｆに、それぞれ壁面Ｗ、床面Ｆに取付けられた取付部材１２ａに挿入される態様で接続されている。
【００２３】
排水トラップ１００は、洗面器１０の下方において、サブ排水管１４と、メイン排水管１２とに接続されている。
【００２４】
図２は、排水トラップ１００の外観と内部構造の一部とを示す斜視図である。図３は、排水トラップ１００の側断面図である。図４は排水トラップ１００の分解斜視図である。図５は排水トラップ１００の使用態様の一例を示す斜視図である。
【００２５】
排水トラップ１００は、有底の円筒状に形成され矢印Ａで示す方向に延在したトラップ本体２０と、サブ排水管１４に接続されトラップ本体２０内にサブ排水管１４からの排水を流入させる流入部２１と、トラップ本体２０の側部に突設され流入部２１からトラップ本体２０内に流入した排水が流出する流出部２２とを有している。
【００２６】
排水トラップ１００はまた、トラップ本体２０内に配設されＡ方向において流出部２２をまたぐようにＡ方向に延在した封水筒２３と、流出部２２とメイン排水管１２とを接続し、流出部２２から流出する排水をメイン排水管１２に導く接続継手２４とを有している。
【００２７】
なお、排水トラップ１００は、通常、Ａ方向が鉛直方向をなすように施工される。
【００２８】
排水トラップ１００はまた、図４に示すように、接続継手２４を、トラップ本体２０に対し、所定の角度をなす状態においてのみ接続可能とするための規制機構５０と、図２、３に示すように、その装着により接続継手２４を所定の状態で固定するためのピン５１とを有している。
【００２９】
流入部２１は、Ａ方向においてトラップ本体２０の底壁２５と逆側の端部に、Ａ方向の周りのＢ方向に回転可能に取付けられており、サブ排水管１４の配設方向やたわみに応じてサブ排水管１４との接続方向を自由に変更できるようになっている。
【００３０】
流出部２２は、Ａ方向におけるトラップ本体２０の略中央部に、トラップ本体２０の周壁２６の外面からＡ方向に垂直なＣ方向に突出する態様で形成されている。
【００３１】
流出部２２は円筒状をなしており、図３に示すように、両端部に開口３４、３５を有している。
【００３２】
流出部２２はまた、その中途部すなわち開口３４と開口３５との間に内嵌された逆止弁３６と、その先端部すなわち開口３５側の端部の外周面に螺設され、接続継手２４を接続するための雄ねじ部３７を有している。
【００３３】
開口３４は、トラップ本体２０の周壁２６の内面すなわち内側壁と連通しており、開口３５は、接続継手２４側を向いている。よって、流出部２２は、逆止弁３６を介してトラップ本体２０内外の空間を連通するようになっている。
【００３４】
逆止弁３６は、流出部２２から接続継手２４に流出した排水が、メイン排水管１２が詰まった場合などに逆流して、流出部２２に侵入することを防止するためのものである。
【００３５】
トラップ本体２０は、流入部２１を回転自在に支持した側の端部、すなわち通常上方に位置する側の端部に、トラップ本体２０の内外の空間を連通させるようにトラップ本体２０の周壁２６を穿つ態様で形成された連通口３０を有している。
【００３６】
トラップ本体２０はまた、流入部２１を回転自在に支持した側と反対側の端部、すなわち通常下方に位置する側の端部に、周壁２６に着脱可能であり装着時にその底壁２５を形成する水抜きキャップ３１を有している。
【００３７】
連通口３０は、周壁２６の、Ｂ方向において流出部２２が形成されている側の部分に形成されている。連通口３０は、Ａ方向に沿って形成された複数のスリット３２によって構成されている。スリット３２はＢ方向に並設されている。
【００３８】
各スリット３２は、Ａ方向におけるトラップ本体２０の当該端部側の位置は揃っており、同方向における底壁２５側の位置は適宜異ならせてある。具体的に、Ａ方向におけるスリット３２の長さは、Ｂ方向における流出部２２の中心位置に対応するものが一番長く、同中心位置から離れるほど短くなっており、Ｂ方向において対称となっている。
【００３９】
これにより、連通口３０の底壁２５側の端部位置と、同底壁２５との間隔は、Ｂ方向における流出部２２の中心位置において最小となっている。連通口３０は、流入部２１からトラップ本体２０内に一旦流入した排水が、流入部２１に逆流することを防止するために形成されているものであるが、かかる形状となっていることで、流出部２２が上方を向くようにＡ方向が傾斜しても、かかる機能を十分に維持できるようになっている。
【００４０】
また、Ｂ方向の幅が、鉛直方向において上方に向けて大きくなっているので、トラップ本体２０内の排水の水面の上昇度合いが小さければ連通口３０からの排水量が少なく、かかる上昇度合いが大きくなり水位が流入部２１に近づくほど多量の排水を行うため、必要に応じた排水量が得られるようになっている。
【００４１】
水抜きキャップ３１は、トラップ本体２０の流入部２１を支持した側の端部に向けて凸となった山形の整流用突部３３を有している。この整流用突部３３の形状の詳細については後述する。
【００４２】
水抜きキャップ３１は、周壁２６に螺合することで一体化される。水抜きキャップ３１は、トラップ本体２０内の排水が凍結した場合、長期不使用である場合等にメンテナンスを行う際に取り外すものである。
【００４３】
封水筒２３は、円筒形状をなしており、両端に開口２８、２９を有している。開口２８は、トラップ本体２０の、流入部２１側に位置しており、開口２９は、トラップ本体２０の底壁２５側に位置している。これにより、Ａ方向において開口２８と開口２９との間に流出部２２が位置している。
【００４４】
封水筒２３は、その流入部２１側の端部はトラップ本体２０の内壁面に水密に取付けられているとともに、トラップ本体２０の底壁２５に向けてその径が減少している。封水筒２３の、トラップ本体２０の底壁２５側の端部と、同底壁２５との間には、間隙が形成されている。
【００４５】
このような形状、配置によって、Ａ方向における流出部２２の形成位置においては、トラップ本体２０の内壁面と封水筒２３との外周面との間には、間隙が形成されている。また、かかる形状、配置によって、封水筒２３の開口２９は、トラップ本体２０内においてこの封水筒２３内外の空間を連通させている。
【００４６】
そして、封水筒２３は、流出部２２の開口３４、３５の両方またはその何れかが下端位置が喫水となることで、流入部２１からトラップ本体２０内に流入した排水により、流入部２１と流出部２２とを互いに隔離して封水するようになっている。なお、通常、Ａ方向が鉛直方向をなすため、この状態では、開口３４、３５の両方の下端位置が喫水となる。
【００４７】
封水筒２３の、トラップ本体２０の底壁２５側の端部は、トラップ本体２０の内側壁であってＢ方向において流出部２２が配設された側の内側壁に近づくにつれて、トラップ本体２０の底壁２５内面との間隔が大きくなる形状となっている。
【００４８】
言い換えると、封水筒２３の、トラップ本体２０の底壁２５側の端部は、トラップ本体２０の底壁２５の内面に対向しているとともに、トラップ本体２０の内側壁であってＢ方向において流出部２２が配設された側の内側壁に対向した形状となっている。
【００４９】
かかる形状は、封水筒２３のかかる端部を斜めに切り欠かれた状態とすることによって形成されている。
【００５０】
整流用突部３３は、開口２９に対向する部位に、開口２９側に凸となり開口２９に向けてＣ方向における径が漸減する、Ａ方向を中心軸とする回転体の形状となっている。この漸減の態様は、整流用突部３３の表面が円錐形状でなく曲面を形成するようになっている。
【００５１】
よって整流用突部３３の開口２９に対向する部分の面は、滑らかに、周壁２６に向かうに連れて開口２９から離間するようになっている。整流用突部３３は、底壁２５内面の全体にわたって形成されているが、少なくとも開口２９に対向する部位に形成されていればよいものである。
【００５２】
排水トラップ１００は、このような構成、特に、封水筒２３の開口２９側端部がかかる形状、配置となっていること、及び、整流用突部３３の形状によって、流入部２１から流入した排水が、開口２９から流出部２２に向けて流れ易くなっている。
【００５３】
具体的には、開口２９がＡ方向に向けて開口しているのみならず、Ｂ方向における流出部２２の配置位置に向けて開いているため、開口２９とトラップ本体２０の内側壁との間隔が、Ｂ方向における流出部２２の配置位置側に向けて大きくなっており、封水筒２３の開口２９側の端部における排水の流路の面積が大きくなっていることから、かかる排水が流出部２２に向けて流れ易い。
【００５４】
しかも、開口２９をかかる状態とするためには、封水筒２３の開口２９側の端部を斜めに切除した形状とすればよいため、トラップ本体２０の大きさを大きくする必要がなく、排水トラップ１００の大型化を免れることができる。
【００５５】
また、整流用突部３３の表面形状が、滑らかに、周壁２６に向かうに連れて開口２９から離間するようになっているため、開口２９から流出した排水の下方への流れを滞留させることなく周壁２６に導き、さらに周壁２６に沿って流出部２２へ向かわせることとなるから、開口２９から流出した排水の流れがスムーズに流出部２２へ向かう上方向の流れに変更され、流出部２２からの排水性能が向上している。
【００５６】
なお、整流用突部３３の表面形状は、上述のような曲面形状でなく、円錐形状でも良いが、かかる曲面形状のほうが、かかる流れの変更に適しており、排水性能がより向上している。
【００５７】
排水性能が高いため、電気温水器１１から多量の排水が行われても、メイン排水管１２への排水が良好に行われる。電気温水器１１からの排水が多量となる場合としては、例えば、電気温水器に通常備えられている減圧弁が故障した場合がある。
【００５８】
先止め式の電気温水器には、通常、貯湯タンク内の水圧が所定圧以上となった場合に開く逃がし弁が備えられており、給水側に接続された減圧弁が故障すると貯湯タンク内の水圧が給水圧まで上昇するため、逃がし弁が開き、排水トラップに多量の水が流れ込むこととなるのである。
【００５９】
接続継手２４は、流出部２２が突設された方向であるＣ方向の周りのＤ方向に回転可能に、流出部２２を介してトラップ本体２０に取付けられ、流出部２２に接続されたＬ字状の第１の管としてのエルボー管４１と、エルボー管４１の、トラップ本体２０と反対側の端部に取付けられた第２の管としての連結管４２とを有している。
【００６０】
エルボー管４１は、流出部２２に接続されＣ方向に延在する第１の管部４３と、第１の管部４３に略直角をなすＥ方向に延在するように第１の管部４３に一体形成された第２の管部４４とを有している。
【００６１】
Ａ方向における流出部２２及び第１の管部４３の中心位置とＢ方向における流出部２２及び第１の管部４３の中心位置とＤ方向における流出部２２及び第１の管部４３の中心位置とは互いに全て一致している。
【００６２】
Ｅ方向とＡ方向とは、流出部２２に対するエルボー管４１の取付け態様に応じて、一致する場合と、直角をなす場合とがある。一致する場合は、排水トラップ１００が図１（ａ）に示した壁排水に使用される場合であり、直角をなす場合は、排水トラップ１００が図１（ｂ）に示した床排水に使用される場合である。
【００６３】
エルボー管４１はまた、第１の管部４３によってＤ方向に回転自在に支持され、雄ねじ部３７と螺合する雌ねじ部４５をその内周面に有する袋ナット４６と、第２の管部４４の基端側に形成されＥ方向に垂直な平面形状であって小判型に形成されたフランジ部４７とを有している。フランジ部４７は図５に示すように、Ｃ方向における、第１の管部４３と逆側の先端部に切り欠き５２を有している。
【００６４】
連結管４２は、Ｅ方向に垂直な方向であるＦ方向に延在するようにエルボー管４１に取り付けられた部材である。
【００６５】
連結管４２は、Ｆ方向中央部に配設され、第２の管部４４の先端部が挿入される態様でエルボー管４１と接続される、フランジ部４７に対向する上面が小判型の接続部４８と、Ｆ方向両端にそれぞれ配設されメイン排水管１２を締結して接続するための締結手段６０とを有している。
【００６６】
接続部４８は、切り欠き４９に連通し得る孔５３を上面に有している。
【００６７】
連結管４２は、接続部４８において、第２の管部４４に対し、Ｅ方向の周りのＧ方向に回転自在となっており、Ｆ方向がＣ方向及びＥ方向に垂直な状態となったときに、フランジ部４７と接続部４８とは、その小判型の形状が重なり合うようにして一致し、切り欠き５２と孔５３とが連通した状態となるようになっている。
【００６８】
ピン５１は、切り欠き５２と孔５３とが連通した状態で、これらに挿通するように接続継手２４に装着され、装着により第２の管部４４が第１の管部４３に対して回転することを阻止する回転阻止部材として機能するものであり、接続継手２４をかかる状態で固定するものである。
【００６９】
各締結手段６０は、連結管４２本体外周面のＦ方向における両端部に螺設された図示しない雄ねじ部と、この雄ねじ部に螺合する図示しない雌ねじ部を備え雄ねじ部に螺合した状態で連結管４２本体に回転自在の締結部材６２と、連結管４２本体のＦ方向両端のそれぞれに配設され、締結部材６２が連結管４２本体に対して螺子込まれることにより圧縮されるパッキン６１とを有している。
【００７０】
連結管４２本体は、その内径がメイン排水管１２の外径と同じものが選択される。
【００７１】
締結部材６２は回転によりＦ方向に変位するようになっており、連結管４２本体の内部にメイン排水管１２の端部を挿入した状態で、回動によって連結管４２本体に対して螺子込まれるように移動することによりパッキン６１が圧縮されて肉厚状となり、挿入されているメイン排水管１２の外周に密着することにより、連結管４２本体とメイン排水管１２とを水密に連結する。
【００７２】
図４に示すように、規制機構５０は、流出部２２の内周面に突設された突部５４と、第１の管部４３のトラップ本体２０側の端部に形成され突部５４が嵌合し得る３つの切り欠き５５、５６、５７とを有している。
【００７３】
なお、図４においては、逆止弁３６の図示を省略している。
【００７４】
突部５４は、流出部２２の内周面のうち水抜きキャップ３１に最も近い位置すなわちＡ方向が鉛直方向を向く場合における流出部２２の内周面の最下位置に突設されている。
【００７５】
切り欠き５５は、第２の管部４４が第１の管部４３に対して屈曲された方向すなわちＥ方向が鉛直方向を向く場合における第１の管部４３の最下位置に形成されている。
【００７６】
切り欠き５６、５７は、Ｄ方向において切り欠き５５に対して垂直な２つの方向にそれぞれ形成されている。
【００７７】
よって、規制機構５０により、接続継手２４は、Ｄ方向において次の所定の３つの角度をなす状態でのみ、トラップ本体２０に接続可能となっている。
【００７８】
かかる３つの角度は、Ａ方向とＥ方向とが互いに平行でありＡ、Ｅ方向において連結管４２と水抜きキャップ３１とが流出部及び第１の管部４３に対して同じ側に位置する１つの方向、及び、Ａ方向とＥ方向とが互いに垂直となる２つの方向である。
【００７９】
前者の方向をなす状態は、図１（ａ）、２、３に示す状態であり、後者の方向をなす状態は、図（ｂ）に示す状態である。
【００８０】
接続継手２４をトラップ本体２０に接続するときには、流出部２２と第１の管部４３とのＤ方向における位相を所望の位相とした上で、突部５４を切り欠き５５、５６、５７のうちの所望の切り欠きに嵌合させるようにして、接続継手２４とトラップ本体２０とが近づくようにこれらを相対的にＣ方向に移動させ、突部５４を所望の切り欠きに嵌合させた状態で袋ナット４６をＤ方向に回動させて雌ねじ部４５を雄ねじ部３７に螺合させて締結する。
【００８１】
このような構成の排水トラップ１００にあっては、上述のように、通常はＡ方向が鉛直方向を向くように設置し、また、壁排水であるか床排水であるかに応じて規制機構５０によってエルボー管４１の取付方向を調整することで、Ｆ方向が、壁排水であれば図１（ａ）に示すように水平方向となるように設置し、床排水であれば図１（ｂ）に示すように鉛直方向を向くように設置する。
【００８２】
図５に示すように、壁排水の場合には、ピン５１を取り外して連結管４２をエルボー管４１に対して回転自在としてもＡ方向が鉛直方向に維持されるので、ピン５１を取り外した状態としても良い。
【００８３】
ピン５１を取り外した状態としておけば、例えば給水管１６が排水トラップ１００に干渉している状態で給水管１６を掃除などメンテナンスする際に、連結管４２とエルボー管４１とが相対的にＧ方向に回転して、排水トラップ１００と給水管１６との干渉を免れることができるという利点がある。
【００８４】
一方、床排水の場合には、ピン５１を取り外した状態とすると、排水トラップ１００に物が当接した場合に破壊を免れ得るという利点があるものの、Ａ方向が鉛直方向に対して傾き得るので、排水、封水を良好に行うという観点から好ましくない。
【００８５】
しかし、連通口３０を上述の態様で形成していることから、Ａ方向が鉛直方向から傾いたとしても、直ちに封水性能、排水性能が低下することはない。
【００８６】
すなわち、連通口３０が上方を向くように傾いた場合には、鉛直方向において第１の管部４３と第２の管部４４との接続位置が開口３４よりも上方に位置することとなり、喫水が、Ａ方向において、流入部２１側に近づくこととなるが、連通口３０が上方を向いており各スリット３２の長さが上述のようになっているので、排水が連通口３０から漏れることはない。
【００８７】
また、連通口３０が下方に向くように傾いた場合には、鉛直方向において第１の管部４３と第２の管部４４との接続位置が開口３４よりも下方に位置することとなるため、喫水は、Ａ方向において、開口３４の位置となり、連通口３０に近づくことがないので、トラップ本体２０に蓄えられた排水が連通口３０から漏れることはない。
【００８８】
ただし、メイン排水管１２の配設方向が鉛直方向に対して傾いていることがあり、この場合には、傾きが大きい場合にはピン５１を取り外してＡ方向が鉛直方向に向くようにするなど、状況に応じて、適宜ピン５１の着脱状態を調整する。しかし、この場合にも、同様に、封水性能、排水性能が直ちに低下することはない。
【００８９】
以上本発明の好ましい実施の形態について説明したが、本発明はかかる特定の実施形態に限定されるものではなく、特許請求の範囲に記載された本発明の要旨の範囲内において、種々の変形・変更が可能である。
【００９０】
例えば、封水筒２３の、トラップ本体２０の底壁２５側の端部を、トラップ本体２０の内側壁であってＢ方向において流出部２２が配設された側の内側壁に近づくにつれて、トラップ本体２０の底壁２５内面との間隔が大きくなる形状としたこと、すなわち、同端部を、トラップ本体２０の底壁２５の内面に対向しているとともに、トラップ本体２０の内側壁であってＢ方向において流出部２２が配設された側の内側壁に対向した形状としたことは、封水筒２３のかかる端部を、斜めに、直線状に切除した態様としたことによって得たものであるが、封水筒２３のかかる端部を、斜めに切除する態様としては、直線状に限らず、曲線状、階段状など適宜選択可能である。
【００９１】
また、整流用突部３３は、上記形態では、Ａ方向を中心軸とする回転体の形状であるが、整流用突部３３の形状はかかる形状でなく、その頂部がＣ方向において流出部２２から遠い位置となるようにするなど、必要に応じて偏心した形状とすることができる。
【００９２】
なお、封水筒２３の、トラップ本体２０の底壁２５側の端部は、この底部２５に単純に対向する形状であってもよい。
【００９３】
また、整流用突起３３は必ずしも必要でなく、トラップ本体２０の底壁２５の上面は平面をなしていても良い。
【００９４】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【００９５】
【図１】本発明を適用した排水トラップの使用態様を示す正面図であって、（ａ）はいわゆる壁排水の排水管に使用した図、（ｂ）はいわゆる床排水の排水管に使用した図である。
【図２】図１に示した排水トラップの外観と内部構造の一部とを示す斜視図であるである。
【図３】図１に示した排水トラップの側断面図である。
【図４】図１に示した排水トラップの分解斜視図である。
【図５】図１に示した排水トラップの使用態様の一例を示す斜視図である。
【符号の説明】
【００９６】
２０    トラップ本体
２１    流入部
２２    流出部
２４    接続継手
３０    連通口
４１    第１の管
４２    第２の管
４４    第１の管のトラップ本体と反対側の端部部分
５０    規制機構
５１    回転阻止部材
６０    締結手段
１００    排水トラップ
Ａ    トラップ本体が延在する方向
Ｂ    Ａ方向の周りの方向
Ｃ    Ａ方向に垂直な方向
Ｄ    Ｃ方向の周りの方向
Ｅ    第１の管のトラップ本体と反対側の端部部分の延在方向
Ｆ    第２の管の延在方向
Ｇ    Ｅ方向の周りの方向
【図１】
2008057251.tif 000003
【図２】
2008057251.tif 000004
【図３】
2008057251.tif 000005
【図４】
2008057251.tif 000006
【図５】
2008057251.tif 000007